(57)【要約】【課題】  夜間撮像に用いる可視光の照明光量を徐々に増加させるようにして、夜間来訪者が照明によって受けるストレスを軽減することが可能なテレビインターホンシステムを提供する。【解決手段】  住戸の入り口に設けられる子機１００と、住戸内部に設けられる親機とを備え、子機からの来訪者の呼び出し操作に応じて動作し、来訪者の映像を住戸内部の親機２００のモニタ２０２に表示し、来訪者と住戸内の人物との通話を行うテレビインターホンシステム１において、夜間に来訪者を撮像するための可視光の照明光源１０５と、照明光源１０５の点灯時には、時間と共に徐々に光量が増加するように照明光源１０５を点灯させる点灯回路１０６とを備えたものである。【選択図】        図１
2005073060.tif 000002
【特許請求の範囲】
【請求項１】
住戸の入り口に設けられる子機と、住戸内部に設けられる親機とを備え、前記子機における来訪者の呼び出し操作に応じて動作し、来訪者の映像を住戸内部の前記親機のモニタに表示し、来訪者と住戸内の人物との通話を行うテレビインターホンシステムにおいて、
夜間に来訪者を撮像するための可視光の照明光源と、
該照明光源の点灯時には時間と共に徐々に光量が増加するように前記照明光源を点灯させる点灯回路と
を備えたことを特徴とするテレビインターホンシステム。
【請求項２】
前記点灯回路は、前記照明光源へ供給する電流を制限する電流制限器と、前記照明光源と並列接続された電流負荷回路とを備え、前記照明光源及び前記電流負荷回路の並列回路と前記電流制限器とは直列に接続されてなり、前記電流負荷回路は、点灯開始時には負荷が大きく、時間の経過と共に小さくなって、前記電流制限器で制限された電流のうち前記照明光源への分岐電流を徐々に増加させることを特徴とする請求項１記載のテレビインターホンシステム。
【請求項３】
前記点灯回路は、時定数回路と、テレビインターホンシステムの使用終了時に、前記時定数回路に蓄積された電荷を放電させるための放電回路とを備えたことを特徴とする請求項２記載のテレビインターホンシステム。
【請求項４】
前記点灯回路は、人間の視感度特性を考慮して、時間と共に直線的に光量が増加するように人間が感覚的に感じるように、前記照明光源を点灯させるようにしたことを特徴とする請求項１記載のテレビインターホンシステム。
【請求項５】
人間の視感度特性を考慮して予め設定された所定時間間隔毎の電圧値が記憶されたデータテーブルを有するマイクロプロセッサを備え、該マイクロプロセッサは、前記データテーブルの前記電圧値を所定時間間隔毎に前記点灯回路に出力することを特徴とする請求項４記載のテレビインターホンシステム。
【発明の詳細な説明】
【技術分野】
【０００１】
本発明は、夜間の来訪者を撮影可能とするための照明光源を備えたテレビインターホンシステムに関する。
【背景技術】
【０００２】
従来より、ＴＶドアホンの夜間撮影時に照明装置を用いるものがある。白黒カメラの場合は、この照明装置は赤外線照明で構成されている。近年、カラーカメラを用いたものが多く出回るようになり、これらは可視光で照明することによって夜間のカラー撮影を行うことが多い。
【発明の開示】
【発明が解決しようとする課題】
【０００３】
上記従来技術では、夜間来訪者を撮影する際、夜間撮影に必要な明るさでいきなり来訪者を照明するようにしている。このため、来訪者にとって眩しく感じる場合があり、不快感を与えてしまうことがあった。
【０００４】
本発明は、このような点に鑑みなされたもので、夜間撮像に用いる可視光の照明光量を徐々に増加させるようにして、夜間来訪者が照明によって受けるストレスを軽減することが可能なテレビインターホンシステムを提供することを目的とする。
【課題を解決するための手段】
【０００５】
本発明に係るテレビインターホンシステムは、住戸の入り口に設けられる子機と、住戸内部に設けられる親機とを備え、前記子機における来訪者の呼び出し操作に応じて動作し、来訪者の映像を住戸内部の前記親機のモニタに表示し、来訪者と住戸内の人物との通話を行うテレビインターホンシステムにおいて、夜間に来訪者を撮像するための可視光の照明光源と、照明光源の点灯時には時間と共に徐々に光量が増加するように照明光源を点灯させる点灯回路とを備えたものである。
【０００６】
また、本発明に係るテレビインターホンシステムは、点灯回路が、照明光源へ供給する電流を制限する電流制限器と、照明光源と並列接続された電流負荷回路とを備え、照明光源及び電流負荷回路の並列回路と電流制限器とは直列に接続されてなり、電流負荷回路は、点灯開始時には負荷が大きく、時間の経過と共に小さくなって、電流制限器で制限された電流のうち照明光源への分岐電流を徐々に増加させるようにしたものである。
【０００７】
また、本発明に係るテレビインターホンシステムは、点灯回路が、時定数回路と、テレビインターホンシステムの使用終了時に、時定数回路に蓄積された電荷を放電させるための放電回路とを備えたものである。
【０００８】
また、本発明に係るテレビインターホンシステムは、点灯回路が、人間の視感度特性を考慮して、時間と共に直線的に光量が増加するように人間が感覚的に感じるように、照明光源を点灯させるようにしたものである。
【０００９】
また、本発明に係るテレビインターホンシステムは、人間の視感度特性を考慮して予め設定された所定時間間隔毎の電圧値が記憶されたデータテーブルを有するマイクロプロセッサを備え、マイクロプロセッサは、データテーブルの電圧値を所定時間間隔毎に点灯回路に出力するようにしたものである。
【発明の効果】
【００１０】
本発明に係るテレビインターホンシステムは、住戸の入り口に設けられる子機と、住戸内部に設けられる親機とを備え、子機における来訪者の呼び出し操作に応じて動作し、来訪者の映像を住戸内部の前記親機のモニタに表示し、来訪者と住戸内の人物との通話を行うテレビインターホンシステムにおいて、夜間に来訪者を撮像するための可視光の照明光源と、照明光源の点灯時には時間と共に徐々に光量が増加するように照明光源を点灯させる点灯回路とを備えたので、夜間来訪者に照明による不快感を与えるのを防止することができる。
【００１１】
また、本発明に係るテレビインターホンシステムは、上記点灯回路が、照明光源へ供給する電流を制限する電流制限器と、照明光源と並列接続された電流負荷回路とを備え、照明光源及び電流負荷回路の並列回路と電流制限器とは直列に接続されてなり、電流負荷回路が、点灯開始時には負荷が大きく、時間の経過と共に小さくなって、電流制限器で制限された電流のうち照明光源への分岐電流を徐々に増加させる構成とすることができる。
【００１２】
また、本発明に係るテレビインターホンシステムは、上記点灯回路が、時定数回路と、テレビインターホンシステムの使用終了時に、時定数回路に蓄積された電荷を放電させるための放電回路とを備えたので、来訪者が次々と現れても、毎回、同じ点灯動作を行うことができる。
【００１３】
また、本発明に係るテレビインターホンシステムは、上記点灯回路が、人間の視感度特性を考慮して、時間と共に直線的に光量が増加するように人間が感覚的に感じるように、照明光源を点灯させるようにしたので、夜間来訪による撮影時の照明に際して、夜間来訪者に不快感を与えるのを確実に防止できる。
【００１４】
また、本発明に係るテレビインターホンシステムは、人間の視感度特性を考慮して予め設定された所定時間間隔毎の電圧値が記憶されたデータテーブルを有するマイクロプロセッサを備え、マイクロプロセッサは、データテーブルの電圧値を所定時間間隔毎に点灯回路に出力し、時間と共に直線的に光量が増加するように人間が感覚的に感じるように、照明光源を点灯させるようにしたので、人間の視感度特性を考慮した点灯制御を簡単に実現できる。
【発明を実施するための最良の形態】
【００１５】
実施の形態１．
図１は、本発明の実施の形態１に係るテレビインターホンシステムの構成を示す図である。
このテレビインターホンシステム１は、住戸の入り口に設置された子機１００と、住戸内部に設置された親機２００とを備えている。子機１００は、来訪者による呼出操作を受け付ける呼出ボタン１０１と、呼出ボタン１０１が押下されたときに一定の電流を流す定電流源１０２と、呼出ボタン１０１が押下されたと同時に周囲の照度を検出する光量検出器１０３と、来訪者を撮影するカメラ１０４と、夜間来訪者を撮影するための可視光照明を行う照明光源１０５と、光量検出器１０３で検出された照度が所定値以下の場合に照明光源１０５の点灯制御を行う点灯回路１０６と、親機２００との通話信号を送受する送受話部１０７と、送受話部１０７から出力される通話信号及びカメラ１０４から出力される映像信号を合成して親機２００へ送信する重畳回路１０８と、各部に電源を供給する内部電源回路１０９と、呼出ボタン１０１が押下された場合の後述の親機２００側の動作による電圧の変化、具体的には検出電圧が所定電圧を超えた場合に内部電源回路１０９を駆動する電圧検出回路１１０と、子機１００全体を制御するＭＰＵ（マイクロプロセッサ）１１１とを備えている。
【００１６】
また、親機２００は、子機１００側において呼出ボタン１０１が押下されことを、定電流源１０２に流れる電流を検出することにより検出し、後述のＭＰＵ２０４に呼出検出信号を出力する呼出検出部２０１と、来訪者の映像を表示するモニタ２０２と、子機１００との通話信号を送受する送受話器２０３と、呼出検出部２０１からの呼出検出信号を受信すると、スイッチＳＷを後述の電源回路２０５側に切り替えるとともに、親機２００全体を制御するＭＰＵ（マイクロプロセッサ）２０４と、各部に電源を供給する電源回路２０５とを備えている。
【００１７】
このように構成されたテレビインターホンシステム１においては、来訪者によって子機１００の呼出ボタン１０１が押下されると、親機２００の呼出検出部２０１がそれを検出し、呼出検出信号をＭＰＵ２０４に通知する。ＭＰＵ２０４はこれを受信すると、スイッチＳＷを電源回路２０５側に切り替える。これにより、親機２００の各部及び子機１００に電源が供給されて親機２００が通話可能状態になると共に、子機１００の電圧検出回路１１０が電圧の上昇を検出し、内部電源回路１０９を動作させ、これによって各部に電源が供給されて子機１００も通話可能状態となる。これと同時に、カメラ１０４が来訪者の撮影を開始するとともに、光量検出器１０３は、周囲の照度を検出し、その結果をＭＰＵ１１１に通知する。
【００１８】
ＭＰＵ１１１は、光量検出器１０３からの照度検出結果が所定値以下の場合、すなわち夜間であれば、点灯回路１０６に点灯信号を出力する。点灯回路１０６は、ＭＰＵ１１１からの点灯信号を受信すると、以下に詳述する動作を行って照明光源１０５による可視光照明の光量が時間の経過と共に徐々に上がるようにし、夜間来訪者に不快感を与えない照明を行う。一方、親機２００側には、モニタ２０２に来訪者の姿が表示される。
【００１９】
そして、通話が終了すると、スイッチＳＷが呼出検出部２０１側に戻る。これにより、電流が減小するので、子機１００の供給電圧が低下する。そうすると、子機１００の電圧検出回路１１０が電圧を検出できなくなり、内部電源回路１０９が落ちて子機１００及び親機２００は待機状態となる。
【００２０】
ここで、本発明は、夜間来訪時の夜間撮像に用いる可視光照明の照明光量を徐々に増加するようにすることで、夜間撮影のための照明によって夜間来訪者に加わる不快感を軽減することに特徴を有するものであり、以下、かかる動作を行う本発明の要部の構成について詳述する。
【００２１】
図２は、本発明の要部である、照明光源及び点灯回路の構成を示すブロック図である。
点灯回路１０６は、電流制限器１２０と、電流負荷回路１２１とを備えている。電流負荷回路１２１は、照明光源１０５と並列に接続されており、電流負荷回路１２１と照明光源１０５との並列回路が電流制限器１２０に直列に接続された構成となっている。電流負荷回路１２１は、点灯開始時には負荷が大きく、時間の経過と共に小さくなって、電流制限器１２０で制限された電流のうち照明光源１０５への分岐電流を徐々に増加させるものである。
【００２２】
本例においては、電流負荷回路１２１は、時定数回路１２２と負荷回路１２３とを備えた構成となっている。また、電流制限器１２０は、本例においては、トランジスタＱ１、Ｑ２、Ｑ３、抵抗Ｒ３、Ｒ４、Ｒ５によって構成され、時定数回路１２２は、抵抗Ｒ１とコンデンサＣ１とから構成され、負荷回路１２３は、トランジスタＱ４及び抵抗Ｒ２から構成されている。また、照明光源１０５は、ＬＥＤ１及びＬＥＤ２から構成されている。
【００２３】
以下、点灯回路１０６の動作について説明する。
ＭＰＵ１１１から点灯信号が抵抗Ｒ５を介してトランジスタＱ３に供給されると、電流制限器１２０のトランジスタＱ３がオン状態となり、それに伴ってトランジスタＱ２がオン状態になる。このとき、トランジスタＱ２のベース電流に対応したコレクタ電流が流れる。ここで、抵抗Ｒ３の両端には、トランジスタＱ１のベースとエミッタとが接続されており、抵抗Ｒ３の両端の電圧はトランジスタＱ１のＶBE電圧となるから、抵抗Ｒ３に流れる電流は次の（１）式で表されるものとなる。
【００２４】
Ｉ＝Ｑ１のＶBE／Ｒ３                        ・・・  （１）
【００２５】
ここで、仮に上記電流Ｉ以上の電流を流そうとした場合、トランジスタＱ１がオンし、それに伴ってトランジスタＱ２はオフするので、この電流制限器１２０の出力、すなわちトランジスタＱ２のコレクタ電流ＩC は上記電流Ｉ以上は流れないことになる。
【００２６】
このようにして上記電流Ｉ未満に制限されたコレクタ電流ＩC は、分流されて時定数回路１２２と負荷回路１２３に供給され、時定数回路１２２に供給された電流は、抵抗Ｒ１を介してコンデンサＣ１に供給される。一方、負荷回路１２３に供給された電流の一部は、トランジスタＱ４のベース電流となって抵抗Ｒ２を介してコンデンサＣ１に流れ込み、これによってトランジスタＱ４がオン状態となり、コレクタ電流が流れる。ここで、抵抗Ｒ１と抵抗Ｒ２は、Ｒ１＞＞Ｒ２の関係に設計されているため、トランジスタＱ２のコレクタ電流ＩC は、時定数回路１２２側に比べて負荷回路１２３側に流れる電流が大きくなるように分流される。そして、負荷回路１２３の抵抗Ｒ２の抵抗値は小さく設計されているため、ＭＰＵ１１１からの点灯信号供給直後は、図２に示したＶR の電位は低く、照明光源１０５の駆動電圧ＶLED に達しておらず、照明光源１０５は非点灯状態となっている。
【００２７】
そして、時間の経過と共にＶC の電位は上昇していき、それに伴ってＶR の電位も上昇する。そして、ＶR が照明光源１０５の駆動電圧ＶLED に達すると、照明光源１０５に電流が供給され始める。但し、その供給開始時点においては、時定数回路１２２及び負荷回路１２３側に多量の電流が供給されているので、照明光源１０５に供給される電流は少量となっている。そして、時間経過と共に時定数回路１２２の電圧ＶC の電位が上昇し、それによって時定数回路１２２及び負荷回路１２３に流れていた電流が減小し、照明光源１０５に流れる電流が増加していく。これにより照明光源１０５の光量は徐々に増加していく。そして、ＶC とＶR との電位差が所定値以下になると、トランジスタＱ４がオフ状態になる。そうすると、トランジスタＱ４の出力電流は全て照明光源１０５に供給され、これにより、照明光源１０５から発する光量が定常時光量に達する。これを時系列的に示したものが次の図である。
【００２８】
図３は、照明光源に供給される電流の変化を示した図である。
時刻ｔ0 でＭＰＵ１１１から点灯信号が出力された後、時刻ｔ1 まで（即ちに電圧ＶR が照明光源１０５の駆動電圧ＶLED に達するまで）は電流値は０であり、時刻ｔ1 を過ぎると、徐々に駆動電流が大きくなり、定常点灯時強度を実現する所定電流値に達する。
【００２９】
ここで、ＬＥＤ１、ＬＥＤ２の発光強度は電流に比例するため、発光強度の変化は次の（２）式で表される。
【００３０】
【数１】
2005073060.tif 000003
【００３１】
ところで、点灯回路１０６内部の負荷回路１２３は、時定数回路１２２の電荷蓄積量に従って発光強度を制御している。このため、通話が終了し、子機１００の供給電圧が切断されてから次回の子機１００起動までに現在蓄積されている電荷の放電を完了しなければ、毎回、同様の発光制御を行うことができない。
【００３２】
そこで、図２に示す点灯回路１０６においては、時定数回路１２２に蓄積された電荷を急速に放電させるための放電回路としてのダイオードＤ１が設けられており、図４に示すように、時定数回路１２２のコンデンサＣ１に蓄積された電荷を急速に放電するための放電経路（図４中太線で示す）が形成されている。すなわち、時定数回路１２２に蓄積された電荷は、ダイオードＤ１、抵抗Ｒ３、抵抗Ｒ６を介して放電される。ここで、図４に示した放電経路内抵抗Ｒ６の抵抗値は小さく設定され、放電時定数が小さく設定されている。これにより、放電時間が短時間化されており、時定数回路１２２に蓄積された電荷を速やかに放電することができるようになっている。なお、この放電時間が、インターホンの呼び出し操作を受け付ける最低時間間隔よりも短い時間となるように各部が設計されている。したがって、次回の通話開始（子機１００起動）までに、現在蓄積されている電荷の放電を完了でき、毎回、図３に示したのと同じ電流変化が生じ、同じ発光強度増加曲線で照明光源１０５を駆動できるようになっている。なお、抵抗Ｒ６は、本例では点灯回路１０６外に設けられているが、点灯回路１０６内に設けられていても良い。
【００３３】
このように、実施の形態１によれば、呼出ボタン１０１が押下された直後は照明光源１０５の光量は小さく、時間の経過と共に徐々に増加するようにしたので、夜間来訪者に対し、照明による不快感を与えるのを防止することができる。また、時定数回路１２２に蓄積された電荷を短時間で放電することができるため、来訪者が次々と現れても、毎回、同じ点灯動作が可能となって、常に安定した動作が得られるテレビインターホンシステム１を提供できる。
【００３４】
実施の形態２．
本実施の形態２は、人間の視感度特性を考慮し、夜間来訪者に不快感を与えないような照明光源１０５の光量増加を行うようにして、具体的には時間と共に直線的に光量が増加する（すなわち光量が単調増加する）ように夜間来訪者が感じるように照明光源１０５の点灯制御を行うようにしたものである。
【００３５】
ここで、本例においては、人間の感覚特性を表したウェーバー・フェヒナーの法則を利用するようにしている。ウェーバー・フェヒナーの法則とは、心理量は、物理量の対数に比例するというものであり、式で表すと次式（３）のようになる。
【００３６】
心理量 ＝ ａ ｌｏｇ物理量 ＋ ｂ                            ・・・ （３）
但し、ａ、ｂは定数
【００３７】
このウェーバー・フェヒナーの法則を考慮すると、人間が直線的に光量（心理量）が増加するように感じるようにさせたい場合、次式（４）のように物理量を指数的に変化させるようにすればよいことになる。
【００３８】
【数２】
2005073060.tif 000004
【００３９】
図５は、実施の形態２のテレビインターホンシステムの要部のブロック図である。実施の形態２のテレビインターホンシステム１は、図１に示した実施の形態１のＭＰＵ１１１と点灯回路１０６に代えて、ＭＰＵ３００と点灯回路３０２とを備えたもので、その他の構成は図１と同様である。また、図６は、実施の形態２のテレビインターホンシステムでの電圧制御に基づく光量制御と、人間の感覚の変化との関係を示す図である。
【００４０】
実施の形態２においては、ＭＰＵ３００内にデータテーブル３０１が記憶されている。データテーブル３０１には、点灯開始から定常点灯までの電圧範囲において、ウェーバー・フェヒナーの法則に従い時間と共に指数的に増加するように予め設定された、所定時間間隔（例えば３３msec）毎の電圧値が記憶されている。また、実施の形態２の点灯回路３０２は、Ｄ／Ａコンバータ３０３と、トランジスタＱ１１と、抵抗Ｒ１１とで構成されており、Ｄ／Ａコンバータ３０３の出力がトランジスタＱ１１のベースに接続された構成となっている。
【００４１】
このように構成された実施の形態２のテレビインターホンシステム１において、ＭＰＵ３００は、データテーブル３０１の電圧値を所定時間間隔毎に順次、Ｄ／Ａコンバータ３０３に出力させる。Ｄ／Ａコンバータ３０３は、ＭＰＵ３００からの電圧値をＤ／Ａ変換してトランジスタＱ１１のベースに供給する。これにより、トランジスタＱ１１に、Ｄ／Ａコンバータ３０３の出力電圧と抵抗Ｒ１１とによって定まるベース電流が流れ、このベース電流に対応したコレクタ電流が流れて、照明光源１０５に駆動電流が供給されて発光する。
【００４２】
ここで、ＭＰＵ３００からＤ／Ａコンバータ３０３に出力されるデータテーブル３０１内の各電圧値は、ウェーバー・フェヒナーの法則に従い指数的に増加するように設定された電圧値であるため、図６に示したように、照明光源１０５の光量は指数的に変化する。したがって、夜間来訪者の感覚的には、照明の光量が単調増加しているように感じ、不快感を感じることはない。そして、ｔa 秒後（例えば２、３秒後）には、定常時光量に達し、以降はその光量が保持される。
【００４３】
本実施の形態２によれば、時間と共に直線的に光量が増加するように夜間来訪者が感じるように点灯制御するようにしたので、夜間来訪者に、夜間撮影のための照明による不快感を与えるのを確実に防止できる。また、実施の形態２は、実施の形態１のように、次回のインターホンの起動時までに電荷を放電させるといった動作が不要で、ＭＰＵ３００がデータテーブル３０１の先頭から順次、制御データを変更すればよいだけなので、より簡単に点灯制御を行え、しかも、人間の視感度特性を考慮した好適な点灯制御が可能となる。
【００４４】
なお、本実施の形態２においては、ＭＰＵ３００にデータテーブル３０１を記憶させるようにしたが、指数的に変化する電圧特性を記憶させるようにしても良い。
【図面の簡単な説明】
【００４５】
【図１】本発明の実施の形態１に係るテレビインターホンシステムの構成を示す図である。
【図２】本発明の要部である、照明光源及び点灯回路の構成を示すブロック図である。
【図３】照明光源に供給される電流の変化を示した図である。
【図４】放電回路の説明図である。
【図５】実施の形態２のテレビインターホンシステムの要部のブロック図である。
【図６】実施の形態２のテレビインターホンシステムでの電圧制御に基づく光量制御と、人間の感覚の変化との関係を示す図である。
【符号の説明】
【００４６】
１  テレビインターホンシステム
１００  子機
１０５  照明光源
１０６  点灯回路
１２０  電流制限器
１２１  電流負荷回路
２００  親機
２０１  呼出検出部
２０２  モニタ
２０３  送受話器
２０５  電源回路
３０１  データテーブル
３０２  点灯回路
３０３  Ｄ／Ａコンバータ
【図１】
2005073060.tif 000005
【図２】
2005073060.tif 000006
【図３】
2005073060.tif 000007
【図４】
2005073060.tif 000008
【図５】
2005073060.tif 000009
【図６】
2005073060.tif 000010